(57)【要約】【課題】乾電池が交換を要する状態になったことをユーザの所持する携帯端末機器を介してユーザに知らせることができるアプリケーションプログラムを提供する。【解決手段】加熱調理器ＧＣの通信ユニット２と無線通信が可能な携帯端末機器Ｓにおいてコンピュータに実現させるアプリケーションプログラムであって、通信ユニット２から無線通信を介して送信される信号を基に、加熱調理器ＧＣの電源としての乾電池１が交換を要する状態にあることを示す電池交換情報を取得する交換情報取得機能と、交換情報取得機能によって取得した電池交換情報に関する表示を携帯端末機器Ｓに設けられた表示部２２に表示する情報表示機能とをコンピュータに実現させる。【選択図】図１
2020113864.tif 000002
【特許請求の範囲】
【請求項１】
加熱調理器の通信手段と無線通信が可能な携帯端末機器においてコンピュータに実現させるアプリケーションプログラムであって、
前記通信手段から無線通信を介して送信される信号を基に、前記加熱調理器の電源としての乾電池が交換を要する状態にあることを示す電池交換情報を取得する交換情報取得機能と、
前記交換情報取得機能によって取得した電池交換情報に関する表示を前記携帯端末機器に設けられた表示部に表示する情報表示機能とを前記コンピュータに実現させるアプリケーションプログラム。
【請求項２】
前記情報表示機能は、前記電池交換情報に関する表示として、前記乾電池の交換方法に関する表示を前記表示部に表示する請求項１に記載のアプリケーションプログラム。
【請求項３】
前記情報表示機能は、前記電池交換情報に関する表示として、前記乾電池の交換を行うか前記乾電池の交換を保留するかを選択可能な表示を前記表示部に表示する請求項１に記載のアプリケーションプログラム。
【請求項４】
前記乾電池の交換を行うか前記乾電池の交換を保留するかに関する選択結果を取得する選択結果取得機能を前記コンピュータに実現させ、
前記情報表示機能は、
前記選択結果取得機能によって取得された前記選択結果が前記乾電池の交換を行うという選択である場合には、前記乾電池の交換方法に関する表示を前記表示部に表示し、
前記選択結果取得機能によって取得された前記選択結果が前記乾電池の交換を保留するという選択である場合には、前記乾電池が交換を要する状態にあることを示す情報を含むリマインド通知を所定のリマインドタイミングで前記表示部に表示する請求項３に記載のアプリケーションプログラム。
【請求項５】
前記通信手段と前記携帯端末機器とは、ＢＬＥ（Ｂｌｕｅｔｏｏｔｈ  Ｌｏｗ  Ｅｎｅｒｇｙ）による近距離無線通信が可能である請求項１〜４のいずれか一項に記載のアプリケーションプログラム。
【発明の詳細な説明】
【技術分野】
【０００１】
加熱調理器の通信手段と無線通信が可能な携帯端末機器においてコンピュータに実現させるアプリケーションプログラムに関する。
【背景技術】
【０００２】
設備機器の一種であるガスコンロ（加熱調理器）は、その多くの機種が乾電池を電源として駆動し、電池切れを起こすとガスバーナを点火することができなくなり、調理を行うことができなくなるという問題がある。そこで従来から、この種のガスコンロには、乾電池が完全に切れる前に、乾電池が交換を要する状態になったことをユーザに知らせるべく、電池交換ランプを点灯させるなどの手法を用いて、ユーザに乾電池の交換を促す仕組みが搭載されている。
【０００３】
しかしながら、単に電池交換ランプを点灯させて、乾電池が交換を要する状態になったことをユーザに知らせるだけでは、例えば、調理に集中しているユーザが電池交換ランプが点灯したことに気付かなかったり、気付いたとしても調理を行っている間に忘れてしまったりして、ユーザによる乾電池の交換が適切に行われない場合があった。
【０００４】
そこで、上記問題を解決するものとして、特許文献１記載の加熱調理器が提案されている。この特許文献１記載の加熱調理器は、電池交換ランプの点灯後、再度電源がオン状態となった際に、乾電池が交換を要する状態になったことを音声で報知する手段を備えている。
この加熱調理器によれば、電池交換ランプの点灯により、乾電池が交換を要する状態になったことをユーザに知らせることができるとともに、再度電源がオン状態になったときに、乾電池が交換を要する状態になったことを音声でユーザに知らせることができる。したがって、仮に、電池交換ランプが点灯したことに気付かなかったり、乾電池の交換が必要なことを忘れてしまった場合であっても、乾電池が交換を要する状態になったことを再度音声によってユーザに知らせることができるため、ユーザに乾電池の交換を従来よりも確実に促すことができる。
【先行技術文献】
【特許文献】
【０００５】
【特許文献１】特許第６１５７９９５号公報
【発明の概要】
【発明が解決しようとする課題】
【０００６】
ところが、上記特許文献１記載の加熱調理器では、当該加熱調理器単体で、乾電池が交換を要する状態になったことをユーザに知らせるようになっているに過ぎない。ユーザは、電池交換ランプが点灯していることに気付かない場合だけでなく、音声による報知を聞き逃す場合もあり得るため、乾電池が交換を要する状態になったことを加熱調理器単体で知らせるようにしたとしても、より確実にユーザに乾電池の交換を促すという点からみて、依然として十分とは言えない。
【０００７】
本発明は、以上の実情に鑑みなされたものであり、乾電池が交換を要する状態になったことをユーザの所持する携帯端末機器を介してユーザに知らせることができるアプリケーションプログラムの提供を、その目的とする。
【課題を解決するための手段】
【０００８】
上記目的を達成するための本発明に係るアプリケーションプログラムの特徴構成は、
加熱調理器の通信手段と無線通信が可能な携帯端末機器においてコンピュータに実現させるアプリケーションプログラムであって、
前記通信手段から無線通信を介して送信される信号を基に、前記加熱調理器の電源としての乾電池が交換を要する状態にあることを示す電池交換情報を取得する交換情報取得機能と、
前記交換情報取得機能によって取得した電池交換情報に関する表示を前記携帯端末機器に設けられた表示部に表示する情報表示機能とを前記コンピュータに実現させる点にある。
【０００９】
上記特徴構成によれば、交換情報取得機能が、電池交換情報を無線通信を介して取得し、情報表示機能が、取得した電池交換情報に関する表示を携帯端末機器の表示部に表示させる。
【００１０】
即ち、上記特徴構成によれば、本発明に係るアプリケーションプログラムがユーザの所持する携帯端末機器においてコンピュータに実現され、アプリケーションが起動している場合において、加熱調理器の通信手段から無線通信で送信された信号を基に、電池交換情報に関する表示として、例えば、乾電池の交換を促す文章など携帯端末機器の表示部に表示される。したがって、ユーザは、携帯端末機器の表示部に表示された電池交換情報に関する表示を見ることで、乾電池が交換を要する状態になったことを知ることができる。
【００１１】
ところで、ユーザは、乾電池が交換を要する状態になったことを知った場合、その後に乾電池の交換を行う。一般的に、乾電池の交換方法は取扱説明書等に記載されており、交換方法を熟知していないユーザは、乾電池の交換方法に関する記載を取扱説明書の中から探した上で、当該取扱説明書を参照しながら乾電池の交換作業を行わざるを得ず、ユーザは煩雑な作業を強いられることになる。したがって、ユーザの利便性の向上を図る上では、乾電池の交換が必要であるという情報と同時に、乾電池の交換方法などを知らせることが重要である。
【００１２】
即ち、本発明に係るアプリケーションプログラムの更なる特徴構成は、前記情報表示機能は、前記電池交換情報に関する表示として、前記乾電池の交換方法に関する表示を前記表示部に表示する点にある。
【００１３】
上記特徴構成によれば、情報表示機能によって、乾電池の交換方法に関する表示が携帯端末機器の表示部に表示される。したがって、ユーザは、表示部に表示された乾電池の交換方法に関する表示を見ることで、取扱説明書等を参照することなく、乾電池の交換をスムーズに行うことができる。
【００１４】
また、本発明に係るアプリケーションプログラムの更なる特徴構成は、前記情報表示機能は、前記電池交換情報に関する表示として、前記乾電池の交換を行うか前記乾電池の交換を保留するかを選択可能な表示を前記表示部に表示する点にある。
【００１５】
加熱調理器において、加熱調理器を使用して調理を行っているユーザは、乾電池が交換を要する状態になったことを知ったとしても、即座に乾電池の交換を行うことができない場合があり、ユーザは、乾電池の交換を保留し、調理が終わった後に交換作業を行いたい場合がある。上記特徴構成によれば、情報表示機能によって、乾電池の交換を行うか乾電池の交換を保留するかを選択可能な表示が携帯端末機器の表示部に表示される。したがって、ユーザは、加熱調理器を使用して調理を行っている場合に、乾電池が交換を要する状態になったことを知った上で、乾電池の交換を保留するという選択を行うことができる。
【００１６】
また、本発明に係るアプリケーションプログラムの更なる特徴構成は、前記乾電池の交換を行うか前記乾電池の交換を保留するかに関する選択結果を取得する選択結果取得機能を前記コンピュータに実現させ、
前記情報表示機能は、
前記選択結果取得機能によって取得された前記選択結果が前記乾電池の交換を行うという選択である場合には、前記乾電池の交換方法に関する表示を前記表示部に表示し、
前記選択結果取得機能によって取得された前記選択結果が前記乾電池の交換を保留するという選択である場合には、前記乾電池が交換を要する状態にあることを示す情報を含むリマインド通知を所定のリマインドタイミングで前記表示部に表示する点にある。
【００１７】
上記特徴構成によれば、乾電池の交換を行うか乾電池の交換を保留するかに関する選択結果を選択結果取得機能によって取得し、情報表示機能が、取得した選択結果が乾電池の交換を行うという選択である場合に、乾電池の交換方法に関する表示を表示部に表示し、取得した選択結果が乾電池の交換を保留するという選択である場合に、乾電池が交換を要する状態にあることを示す情報を含むリマインド通知を所定のリマインドタイミングで表示部に表示する。
【００１８】
即ち、上記特徴構成によれば、ユーザによって乾電池の交換を行うという選択がなされた場合に、携帯端末機器の表示部に表示された乾電池の交換方法に関する表示をユーザが見ることで、取扱説明書等を参照することなく、乾電池の交換をスムーズに行うことができる。一方、ユーザによって乾電池の交換を保留するという選択がなされた場合に、所定のリマインドタイミングで表示部に表示されたリマインド通知をユーザが見ることで、仮に、乾電池が交換を要する状態になったことを忘れていたとしてもユーザがそのことを思い出すことができる。
【００１９】
また、本発明に係るアプリケーションプログラムの更なる特徴構成は、前記通信手段と前記携帯端末機器とは、ＢＬＥ（Ｂｌｕｅｔｏｏｔｈ  Ｌｏｗ  Ｅｎｅｒｇｙ）による近距離無線通信が可能である点にある。
【００２０】
ＢＬＥによる近距離無線通信は、省電力・省コストを実現した通信モードである。
上記特徴構成によれば、このＢＬＥ通信により、通信手段と携帯端末機器とが無線通信を行うため、省電力・省コストを実現することが可能である。
【図面の簡単な説明】
【００２１】
【図１】第１実施形態に係る加熱調理器及び携帯端末機器の概略構成を示した図である。
【図２】第１実施形態において、乾電池が交換を要する状態になったことをユーザに通知する過程を説明するためのフローチャートである。
【図３】第１実施形態において、乾電池が交換を要する状態になったことをユーザに通知する過程を説明するためのフローチャートである。
【図４】第２実施形態において、乾電池が交換を要する状態になったことをユーザに通知する過程を説明するためのフローチャートである。
【発明を実施するための形態】
【００２２】
〔第１実施形態〕
以下、図面を参照して本発明の第１実施形態について、加熱調理器ＧＣと、当該加熱調理器ＧＣと無線通信が可能な携帯端末機器Ｓとからなる調理システムの一部として使用される場合を例にとって説明する。尚、本実施形態において、加熱調理器ＧＣはガスコンロである。
【００２３】
図１に示すように、加熱調理器ＧＣは、電源としての乾電池１と、ユーザが所有する携帯端末機器Ｓの通信ユニット２１と無線通信可能な通信ユニット２（通信手段）と、各種情報処理を行う制御装置３と、乾電池１が交換を要する状態になった場合に点灯する電池交換ランプ１０（報知手段）と、調理機器を加熱する１つのガスバーナ１１とを備えている。
【００２４】
加熱調理器ＧＣには、バーナ操作部（図示せず）が設けられており、当該バーナ操作部を押し操作及び回転操作等することより、ガスバーナ１１の点火、消火及び火力調節等を行うことができるようになっている。尚、ガスバーナ１１の点火及び消火を行うための操作が行われた場合、点火操作があったことを知らせる信号（バーナ点火信号）又は消火操作があったことを知らせる信号（バーナ消火信号）が制御装置３に送信されるようになっている。
【００２５】
本実施形態において、通信ユニット２，２１は、近距離無線通信の一種である、Ｂｌｕｅｔｏｏｔｈ  Ｌｏｗ  Ｅｎｅｒｇｙ（ＢＬＥ）通信及びＢｌｕｅｔｏｏｔｈ（登録商標）通信を相互に行うように構成される。尚、本実施形態においては、ＢＬＥのペリフェラルとして動作する加熱調理器ＧＣの通信ユニット２から周囲に送信された（ブロードキャストされた）アドバタイズ信号を、ＢＬＥのセントラルとして動作する携帯端末機器Ｓの通信ユニット２１が受信するようになっている。
【００２６】
本実施形態においては、加熱調理器ＧＣの通信ユニット２からブロードキャストされたアドバタイズ信号を通信ユニット２１が受信した携帯端末機器Ｓとの間で機器登録（ペアリング）が既に済んでいるものとする。また、携帯端末機器Ｓの通信ユニット２１と加熱調理器ＧＣの通信ユニット２とは、機器登録が済んでいる状態において、加熱調理器ＧＣの通信ユニット２からブロードキャストされたアドバタイズ信号を携帯端末機器Ｓの通信ユニット２１が受信し、所定のアプリケーションが起動している状態（バックグラウンドで起動している状態を含む）にある携帯端末機器Ｓの通信ユニット２１からアドバタイズ信号を受信したことを知らせる信号が送信されることで、携帯端末機器Ｓの通信ユニット２１と加熱調理器ＧＣの通信ユニット２とがデータ信号を送受信可能な状態（以下、「正常に接続されている状態」ともいう）となる。尚、正常に接続されている状態においては、携帯端末機器Ｓの通信ユニット２１と加熱調理器ＧＣの通信ユニット２と間で、接続状態を確認するためのデータ信号（接続状態確認信号）が一定間隔で送受信されるようになっており、後述する通信状態監視部７は、この接続状態確認信号の送受信状況を監視している。一方、アプリケーションが停止したり、携帯端末機器Ｓが通信圏外に出た場合には、携帯端末機器Ｓの通信ユニット２１と加熱調理器ＧＣの通信ユニット２との間でデータ信号を送受信できない状態（接続が途切れた状態）となる。尚、アドバタイズ信号は、データ信号を送受信できる状態（正常に接続されている状態）では送信されない。
【００２７】
尚、「データ信号」とは、送信するデータを含むデータ部や、接続相手（即ち、携帯端末機器Ｓにとっての加熱調理器ＧＣ、加熱調理器ＧＣにとっての携帯端末機器Ｓ）を判別するアクセスアドレスなどからなるデータパケットである。一方、「アドバタイズ信号」とは、送信するデータや送信側のデバイス情報（即ち、加熱調理器ＧＣ側のデバイス情報）を含むデータ部や、所定の固定値であるアクセスアドレスなどからなるアドバタイズパケットである。
【００２８】
制御装置３は、乾電池１の状態を取得する電池状態取得部４と、乾電池１の交換の要否を判定する電池交換要否判定部５と、電池交換ランプ１０の動作を制御する報知制御部６と、携帯端末機器Ｓの通信ユニット２１と加熱調理器ＧＣの通信ユニット２との間の信号の送受信状況を基に、携帯端末機器Ｓの通信ユニット２１と加熱調理器ＧＣの通信ユニット２との間の通信状態を監視する通信状態監視部７と、通信ユニット２を制御する通信制御部８とを備えるとともに、電池状態取得部４で取得される乾電池１の状態や通信状態監視部７で監視される通信状態などが格納される記憶部９を備えている。尚、特に図示はしないが、加熱調理器ＧＣの各部の動作を制御する各種機能部も備えている。
【００２９】
電池状態取得部４は、乾電池１の状態を取得する機能部であり、具体的に、本実施形態においては、乾電池１の電圧を検出し、検出結果を電池交換要否判定部５に送信する。
【００３０】
電池交換要否判定部５は、電池状態取得部４で取得された乾電池１の状態を基に、乾電池１の交換の要否を判定する。具体的に、電池交換要否判定部５は、電池状態取得部４から送信された乾電池１の電圧が予め定めた限界電圧（例えば２．１Ｖ）未満か否かを判定し、限界電圧以上であれば乾電池１が交換を要しない状態である（交換不要）と判定し、限界電圧未満であれば乾電池１が交換を要する状態である（交換必要）と判定し、判定結果を報知制御部６に送信する。
【００３１】
報知制御部６は、電池交換ランプ１０の動作を制御する制御部であり、具体的に、電池交換要否判定部５から乾電池１が交換を要する状態であるという判定結果を受信した場合に、電池交換ランプ１０を点灯させるとともに、電池交換ランプ１０が作動したことを示す情報を含む信号を通信制御部８に送信する。
【００３２】
通信状態監視部７は、ペアリング済みの携帯端末機器Ｓの通信ユニット２１と加熱調理器ＧＣの通信ユニット２との間でやりとりされるデータ信号（接続状態確認信号）の送受信状況（信号強度を含む）を基に、携帯端末機器Ｓの通信ユニット２１と加熱調理器ＧＣの通信ユニット２との間の通信状態を監視し、通信状態を記憶部９に逐次送信する。尚、通信状態監視部７は、携帯端末機器Ｓの通信ユニット２１からの接続状態確認信号を一定時間ごとに受信している場合に正常に接続されている状態と判断し、接続状態確認信号を一定時間受信していない場合に接続が途切れている状態と判断する。
【００３３】
通信制御部８は、報知制御部６から電池交換ランプ１０が作動したことを示す情報を含む信号を受信した際に、記憶部９を参照して、通信状態が正常に接続されている状態、又は、接続が途切れた状態のいずれであるか判定する。
【００３４】
この通信制御部８においては、通信状態が正常に接続されている状態である場合、所定の信号強度（正常に接続されている状態において通常やりとりされる信号の強度）のデータ信号を携帯端末機器Ｓの通信ユニット２１に送信するように加熱調理器ＧＣの通信ユニット２の動作を制御する。尚、この場合にデータ信号のデータ部には、乾電池１が交換を要する状態になったことを示す情報として、電池交換ランプ１０が点灯したことを示す情報が含まれている。
【００３５】
また、通信制御部８は、通信状態が接続が途切れた状態にある場合には、上記データ信号と同程度又はこれよりも低い信号強度のアドバタイズ信号をブロードキャストするように加熱調理器ＧＣの通信ユニット２の動作を制御する。尚、この場合にアドバタイズ信号のデータ部には、乾電池１が交換を要する状態になったことを示す情報として、電池交換ランプ１０が点灯したことを示す情報が含まれている。
【００３６】
次に、本実施形態における携帯端末機器Ｓについて説明する。図１に示すように、携帯端末機器Ｓは、加熱調理器ＧＣの通信ユニット２（通信手段）と無線通信可能な通信ユニット２１と、所定の情報を表示可能な表示部２２と、加熱調理器ＧＣの遠隔操作や運転状態の確認に用いるアプリケーションプログラムの実行や携帯端末機器Ｓの動作に関する各種情報処理を行う制御装置２５とを備えている。
【００３７】
通信ユニット２１は、上述したように、ＢＬＥ通信及びＢｌｕｅｔｏｏｔｈ通信を加熱調理器ＧＣの通信ユニット２との間で行うように構成される。
【００３８】
制御装置２５は、ＣＰＵやＲＯＭ、ＲＡＭなどから構成されており、図１に示すように、アプリケーションプログラムを実行するための機能部としての交換情報取得部２７や情報表示部２８、選択結果取得部２９、各種情報が記憶される記憶部３０などを備えている。
【００３９】
交換情報取得部２７は、加熱調理器ＧＣの通信ユニット２から無線通信を介して送信される信号を基に、加熱調理器ＧＣの乾電池１が交換を要する状態にあることを示す電池交換情報を取得する（交換情報取得機能）。本実施形態において、交換情報取得部２７は、加熱調理器ＧＣの通信ユニット２から送信された、乾電池１が交換を要する状態にあることを示す情報としての電池交換ランプ１０が点灯したことを示す情報を含むデータ信号を通信ユニット２１が受信した場合に、当該通信ユニット２１が受信したデータ信号中の情報を基に、電池交換情報を取得する。尚、交換情報取得部２７は、取得した電池交換情報を情報表示部２８に送信する。
【００４０】
情報表示部２８は、交換情報取得部２７から送信された電池交換情報に関する表示として、乾電池１の交換を行うか乾電池１の交換を保留するかを選択可能な表示を携帯端末機器Ｓの表示部２２に表示させる（情報表示機能）。具体的に、本実施形態における情報表示部２８は、乾電池１の交換タイミングに関する選択肢としての「今すぐ交換」及び「後で交換」をユーザが選択可能な状態で表示部２２に表示する。
【００４１】
また、情報表示部２８は、後述する選択結果取得部２９から送信された信号を基に、選択結果取得部２９で取得された選択結果が乾電池１の交換を行うという選択である場合、即ち、ユーザが「今すぐ交換」を選択した場合、乾電池１の交換方法を表示部２２に表示する。
一方、選択結果が乾電池１の交換を保留するという選択である場合、即ち、ユーザが「後で交換」を選択した場合、予め定めたリマインドタイミングで乾電池１が交換を要する状態にあることを示す情報を含むリマインド通知を表示部２２に表示する。本実施形態においては、ユーザが「後で交換」を選択した後、一定時間（例えば１時間）経過したか否かを判定し、一定時間経過している場合にリマインド通知として、乾電池１の交換方法を表示する。
【００４２】
選択結果取得部２９は、情報表示部２８によって表示部２２に表示された選択肢（「今すぐ交換」及び「後で交換」）のいずれがユーザによって選択されたか、即ち、乾電池１の交換を行うか乾電池１の交換を保留するかに関する選択結果を取得する（選択結果取得機能）。また、選択結果取得部２９は、選択結果に関する信号を情報表示部２８に送信する。
【００４３】
尚、本実施形態において、交換情報取得部２７による交換情報取得機能、情報表示部２８による情報表示機能及び選択結果取得部２９による選択結果取得機能は、上記加熱調理器ＧＣの遠隔操作や運転状態の確認を行うアプリケーションの機能の一部として組み込まれており、特に図示はしないが、制御装置２５には、交換情報取得部２７、情報表示部２８、選択結果取得機能の他、上記遠隔操作や運転状態の確認を行うための機能を実行するための機能部が設けられている。
【００４４】
次に、第１実施形態において、乾電池１が交換を要する状態になったことをユーザに通知する過程について、図２及び図３を参照しつつ説明する。
【００４５】
まず、図２の工程＃１では、電池状態取得部４において、乾電池１の電圧を検出して、検出結果が電池交換要否判定部５に送信され、工程＃２に移行する。
【００４６】
次に、工程＃２では、電池交換要否判定部５において、乾電池１の電圧の検出結果が限界電圧未満かであるか否かを基に、電池の交換の要否を判定し、電池が交換を要する状態であると判定された場合には工程＃３に移行し、交換を要しない状態であると判定された場合には、工程＃１へ戻る。
【００４７】
工程＃３では、報知制御部６において、電池交換ランプ１０の作動が制御されて、当該電池交換ランプ１０が点灯するとともに、電池交換ランプ１０が点灯したことを示す情報を含む信号が通信制御部８に送信され、工程＃４に移行する。
【００４８】
工程＃４では、通信制御部８において、記憶部９が参照され、格納された最新の通信状態が、携帯端末機器Ｓの通信ユニット２１と加熱調理器ＧＣの通信ユニット２とが正常に接続されている状態であるか否かが判定され、正常に接続されている状態であると判定された場合には工程＃５に移行し、正常に接続されていないと判定された場合には工程＃６へ移行する。
【００４９】
工程＃５では、通信制御部８において、電池交換ランプ１０が点灯したことを示す情報を含むデータ信号を所定の信号強度で携帯端末機器Ｓの通信ユニット２１に送信するように通信ユニット２の動作が制御され、上記データ信号が送信され、工程＃８に移行する。
【００５０】
一方、工程＃４で、正常に接続されていないと判定された場合、工程＃６では、通信制御部８において、電池交換ランプ１０が点灯したことを示す情報を含むアドバタイズ信号を所定の信号強度でブロードキャストするように通信ユニット２の動作が制御され、上記アドバタイズ信号がブロードキャストされ、工程＃７に移行する。
【００５１】
工程＃７では、アドバタイズ信号を受信した携帯端末機器Ｓにおいて、電池交換ランプ１０が点灯したことが所謂プッシュ通知として、表示部２２に表示され、処理が終了する。
【００５２】
工程＃８では、携帯端末機器Ｓの交換情報取得部２７において、加熱調理器ＧＣの通信ユニット２から無線通信を介して送信されたデータ信号中の情報を基に、電池交換情報が取得され、当該電池交換情報が情報表示部２８に送信され、図３の工程＃９へ移行する。
【００５３】
工程＃９では、情報表示部２８において、乾電池１の交換タイミングに関する選択肢としての「今すぐ交換」及び「後で交換」という表示が表示部２２に表示され、工程＃１０に移行する。
【００５４】
工程＃１０では、ユーザによって「今すぐ交換」及び「後で交換」という選択肢のうちのいずれかが選択された場合に、選択結果取得部２９において、選択結果が情報表示部２８に送信され、情報表示部２８において、ユーザによって「後で交換」が選択されたか否かを判定し、「後で交換」が選択されたと判定された場合には工程＃１１に移行し、「後で交換」が選択されていない（「今すぐ交換」が選択された）と判定された場合には工程＃１２に移行する。
【００５５】
工程＃１１では、ユーザが「後で選択」を選択した後、一定時間経過したか否かが判定され、一定時間経過していると判定された場合には工程＃１２に移行し、一定時間経過していないと判定された場合には工程＃１１を繰り返す。
【００５６】
工程＃１２では、情報表示部２８において、乾電池１の交換方法が表示部２２に表示される。
【００５７】
このように、第１実施形態において、加熱調理器ＧＣは、乾電池１の状態を取得し、取得した乾電池１の状態を基に乾電池１の交換の要否を判定して、電池交換ランプ１０を点灯させるとともに、通信状態が、接続が途切れた状態である場合に、電池交換ランプ１０が点灯したことを示す情報を含むアドバタイズ信号を通信ユニット２からブロードキャストすることができる。
【００５８】
即ち、第１実施形態においては、携帯端末機器Ｓの通信ユニット２１と加熱調理器ＧＣの通信ユニット２との接続が途切れた状態であっても、乾電池１が交換を要する状態になった際に、乾電池１が交換を要する状態になったことを示す情報として、電池交換ランプ１０が点灯したことを示す情報を含む信号が、ＢＬＥ通信に特有のアドバタイズ信号の形でブロードキャストされ、このアドバタイズ信号を受信した携帯端末機器Ｓにおいて、電池交換ランプ１０が点灯したことを示す情報が所謂プッシュ通知の形式で表示部２２に表示されるため、当該表示をユーザが見ることで、ユーザは乾電池１が交換を要する状態になったことを確認することができる。
【００５９】
また、携帯端末機器Ｓの通信ユニット２１と加熱調理器ＧＣの通信ユニット２とがＢＬＥによる近距離無線通信によって通信を行うようにしていることで、省電力・省コストを実現している。
【００６０】
また、第１実施形態において、携帯端末機器Ｓでは、アプリケーションプログラムによって、交換情報取得機能、情報表示機能及び選択結果取得機能が実現される。そして、アプリケーションが実行されることで、通信状態が、携帯端末機器Ｓの通信ユニット２１と加熱調理器ＧＣの通信ユニット２とが正常に接続されている状態である場合に、加熱調理器ＧＣの通信ユニット２から送信されたデータ信号を基にして、乾電池１が交換を要する状態になったことを示す電池交換情報を取得できる。そして、情報表示機能によって、乾電池１の交換タイミングをユーザが選択可能な選択肢を表示部２２に表示させ、ユーザの選択に応じて、乾電池１の交換方法を表示部２２に表示させるタイミングを変えることができる。
【００６１】
即ち、第１実施形態においては、表示部２２に表示された乾電池１の交換タイミングに関する選択肢（「今すぐ交換」及び「後で交換」）のうち、ユーザが「今すぐ交換」を選択した場合には、乾電池１の交換方法が表示部２２に表示されるため、ユーザに乾電池１が交換を要する状態になったことを知らせることができ、表示される内容が乾電池１の交換方法であるため、ユーザは取扱説明書等を参照することなく、スムーズに交換作業を行うことができる。一方、加熱調理器ＧＣを使用して調理を行っている最中に乾電池１の交換作業を行うことでガスバーナ１１の火が消えるのを避ける必要があるため、ユーザが「後で交換」を選択した場合には、一定時間経過後に乾電池１の交換方法が表示部２２に表示される。したがって、ユーザに乾電池１が交換を要する状態になったことを再度知らせることができる。
【００６２】
〔第２実施形態〕
第２実施形態は、主として、通信制御部８が、電池交換要否判定部５から乾電池１が交換を要する状態にあるという判定結果を受信し、乾電池１が交換を要する状態にあることを示す情報を含むデータ信号を送信し、同じく乾電池１が交換を要する状態にあることを示す情報を含むアドバタイズ信号をブロードキャストする点、並びに、携帯端末機器Ｓが選択結果取得部２９を備えていない点が第１実施形態と異なっている。以下、第２実施形態について説明する。
【００６３】
第２実施形態において、電池交換要否判定部５は、判定結果を通信制御部８にも送信し、通信制御部８は、電池交換要否判定部５から乾電池１が交換を要する状態にあるという判定結果を受信した際に、記憶部９を参照して、通信状態が正常に接続されている状態、又は、接続が途切れた状態のいずれであるか判定する。
【００６４】
本実施形態において、通信制御部８は、通信状態が正常に接続されている状態である場合、所定の信号強度（正常に接続されている状態において通常やりとりされる信号の強度）のデータ信号を携帯端末機器Ｓの通信ユニット２１に送信するように加熱調理器ＧＣの通信ユニット２の動作を制御する。尚、この場合にデータ信号のデータ部には、乾電池１が交換を要する状態になったことを示す情報が含まれている。
【００６５】
また、通信制御部８は、通信状態が接続が途切れた状態にある場合には、上記データ信号と所定の信号強度のアドバタイズ信号をブロードキャストするように加熱調理器ＧＣの通信ユニット２の動作を制御する。尚、この場合にアドバタイズ信号のデータ部には、乾電池１が交換を要する状態になったことを示す情報が含まれている。
【００６６】
本実施形態において、携帯端末機器Ｓの情報表示部２８は、交換情報取得部２７から送信された電池交換情報に関する表示として、乾電池１の交換方法を表示部２２に表示させる。
【００６７】
次に、第２実施形態において、乾電池１が交換を要する状態になったことをユーザに通知する過程について、図４を参照しつつ説明する。
【００６８】
まず、図４の工程＃２１では、電池状態取得部４において、乾電池１の電圧を検出して、検出結果が電池交換要否判定部５に送信され、工程＃２２に移行する。
【００６９】
次に、工程＃２２では、電池交換要否判定部５において、乾電池１の電圧の検出結果が限界電圧未満かであるか否かを基に、電池の交換の要否を判定し、電池が交換を要する状態であると判定された場合には工程＃２３に移行し、交換を要しない状態であると判定された場合には、工程＃２１へ戻る。
【００７０】
工程＃２３では、通信制御部８において、記憶部９が参照され、格納された最新の通信状態が、携帯端末機器Ｓの通信ユニット２１と加熱調理器ＧＣの通信ユニット２とが正常に接続されている状態であるか否かが判定され、正常に接続されている状態であると判定された場合には工程＃２４に移行し、正常に接続されていないと判定された場合には工程＃２７へ移行する。
【００７１】
工程＃２４では、通信制御部８において、乾電池１が交換を要する状態になったことを示す情報を含むデータ信号を所定の信号強度で携帯端末機器Ｓの通信ユニット２１に送信するように通信ユニット２の動作が制御され、上記データ信号が送信され、工程＃２５に移行する。
【００７２】
工程＃２５では、携帯端末機器Ｓの交換情報取得部２７において、加熱調理器ＧＣの通信ユニット２から無線通信を介して送信されたデータ信号中の情報を基に、電池交換情報が取得され、当該電池交換情報が情報表示部２８に送信され、工程＃２６へ移行する。
【００７３】
工程＃２６では、情報表示部２８において、乾電池１の交換方法が表示部２２に表示され、処理が終了する。
【００７４】
一方、工程＃２３で、正常に接続されていないと判定された場合、工程＃２７では、通信制御部８において、乾電池１が交換を要する状態になったことを示す情報を含むアドバタイズ信号を所定の信号強度でブロードキャストするように通信ユニット２の動作が制御され、上記アドバタイズ信号がブロードキャストされ、工程＃２８に移行する。
【００７５】
工程＃２８では、アドバタイズ信号を受信した携帯端末機器Ｓにおいて、乾電池１が交換を要する状態になったことが所謂プッシュ通知として、表示部２２に表示され、処理が終了する。
【００７６】
このように、第２実施形態において、加熱調理器ＧＣは、乾電池１の状態を取得し、取得した乾電池１の状態を基に乾電池１の交換の要否を判定して、通信状態が、接続が途切れた状態である場合に、乾電池１が交換を要する状態になったことを示す情報を含むアドバタイズ信号を通信ユニット２からブロードキャストすることができる。
【００７７】
即ち、第２実施形態においては、携帯端末機器Ｓの通信ユニット２１と加熱調理器ＧＣの通信ユニット２との接続が途切れた状態であっても、乾電池１が交換を要する状態になった際に、乾電池１が交換を要する状態になったことを示す情報を含む信号が、ＢＬＥ通信に特有のアドバタイズ信号の形でブロードキャストされ、このアドバタイズ信号を受信した携帯端末機器Ｓにおいて、乾電池１が交換を要する状態になったことを示す情報が所謂プッシュ通知の形式で表示部２２に表示されるため、当該表示をユーザが見ることで、ユーザは乾電池１が交換を要する状態になったことを確認することができる。
【００７８】
また、第２実施形態において、携帯端末機器Ｓでは、アプリケーションプログラムによって、交換情報取得機能及び情報表示機能が実現される。そして、アプリケーションプログラムが実行されることで、通信状態が、携帯端末機器Ｓの通信ユニット２１と加熱調理器ＧＣの通信ユニット２とが正常に接続されている状態である場合に、加熱調理器ＧＣの通信ユニット２から送信されたデータ信号を基にして、乾電池１が交換を要する状態になったことを示す電池交換情報を取得できる。そして、情報表示機能によって、乾電池１の交換方法を表示部２２に表示させることができる。したがって、当該表示をユーザが見ることで、ユーザは乾電池１が交換を要する状態になったことを確認でき、表示される内容が乾電池１の交換方法であるため、ユーザは取扱説明書等を参照することなく、スムーズに交換作業を行うことができる。
【００７９】
〔別実施形態〕
〔１〕上記各実施形態においては、ＢＬＥ通信により携帯端末機器Ｓの通信ユニット２１と加熱調理器ＧＣの通信ユニット２とが無線通信可能に構成されているが、たとえば、ワイヤレスＬＡＮやＷｉｆｉ通信で無線通信可能に構成しても良い。
【００８０】
〔２〕上記各実施形態では、携帯端末機器Ｓの通信ユニット２１と加熱調理器ＧＣの通信ユニット２とが正常に接続されている場合に、最終的に乾電池１の交換方法を表示するようにしているがこれに限られるものではなく、単に乾電池１が交換を要する状態になったことを表示するようにしてもよい。
【００８１】
〔３〕上記各実施形態においては、乾電池１の電圧を基に乾電池１の交換の要否を判定するようにしているが、これに限られるものではなく、乾電池１の劣化状態を把握できる情報を基に交換の要否を判定するようにしても良い。
【００８２】
〔４〕上記第１実施形態においては、電池交換ランプ１０が点灯したことを示す情報、第２実施形態においては、乾電池１が交換を要する状態になったことを示す情報をそれぞれ乾電池１が交換を要する状態になったことを示す信号として含むデータ信号及びアドバタイズ信号を送信するようにしているが、これに限られるものではなく、乾電池１が交換を要する状態になったことを示す情報は、例えば、乾電池１の電圧が低下したことを示す情報であっても良い。
【００８３】
〔５〕上記第１実施形態においては、電池交換ランプ１０が点灯したことを示す情報、第２実施形態においては、乾電池１が交換を要する状態になったことを示す情報をそれぞれ乾電池１が交換を要する状態になったことを示す信号として含むアドバタイズ信号をブロードキャストし、当該アドバタイズ信号を受信した携帯端末機器Ｓにおいて、これらの情報がプッシュ通知として表示部２２に表示されるようにしているが、これに限られるものではない。
例えば、アドバタイズ信号に、乾電池１の交換方法を表示部２２に表示するための情報や、乾電池１の交換方法が掲載されたウェブページへアクセスするためのＵＲＬなどを表示部２２に表示するための情報を含め、当該アドバタイズ信号を受信した携帯端末機器Ｓにおいて、乾電池１の交換方法やＵＲＬをプッシュ通知として表示部２２に表示させるようにしても良い。
【００８４】
〔６〕上記第１実施形態では、ユーザが「後で選択」を選択した後、一定時間経過した時点でリマインド通知を表示するようにしているが、例えば、加熱調理器ＧＣの電源がオフ状態にされた時点やアプリケーションが終了された時点でリマインド通知を表示するようにしても良い。
【００８５】
〔７〕上記各実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８６】
本発明は、乾電池が交換を要する状態になったことをユーザの所持する携帯端末機器を介してユーザに知らせることができるアプリケーションプログラムに利用できる。
【符号の説明】
【００８７】
１    乾電池
２    通信ユニット（通信手段）
２２  表示部
２５  制御装置
２７  交換情報取得部
２８  情報表示部
２９  選択結果取得部
ＧＣ  加熱調理器
Ｓ    携帯端末機器
【図１】
2020113864.tif 000003
【図２】
2020113864.tif 000004
【図３】
2020113864.tif 000005
【図４】
2020113864.tif 000006